(57)【要約】【課題】太陽光による発電が可能となされ、且つ道路側における環境を改善できる環境配慮型防音壁を提供する。【解決手段】発電防音パネル１は太陽電池セルを備えることで太陽光により電力が生起され、その電力が供給される環境保全設備２により環境保全が行われることで道路周辺の環境は改善されると共に、外部電源に依存する電力を低減し、発電による環境への負荷を軽減できるが、発電防音パネル１が光線を透過するようになされていることで、防音壁１０を透過して光線が入射されて道路側を明るくし、道路利用者の不安感や圧迫感を軽減して道路側の環境を改善することができる。【選択図】図２
2004257164.tif 000002
【特許請求の範囲】
【請求項１】
太陽電池セルを備えた発電防音パネルを用いて形成され、道路周辺に設置され電力を用いて環境保全を行う環境保全設備に、前記太陽電池セルにより生起された電力を供給して環境保全を行う防音壁であって、前記発電防音パネルが光線を透過するようになされたことを特徴とする環境配慮型防音壁。
【請求項２】
発電防音パネルは、太陽電池セルが透光性の保護部材に取り付けられた太陽電池モジュールを用いて形成されたことを特徴とする請求項１に記載の環境配慮型防音壁。
【請求項３】
太陽電池セルは、透光性の保護部材の透光性を損なわない程度の距離を隔てて帯状に複数列設けられたことを特徴とする請求項２に記載の環境配慮型防音壁。
【請求項４】
透光性の保護部材は、可視光線を透過するものであることを特徴とする請求項２又は３に記載の環境配慮型防音壁。
【請求項５】
太陽電池セルは、両面受光型のものであることを特徴とする請求項１〜４のいずれかに記載の環境配慮型防音壁。
【請求項６】
環境保全設備は、発電防音パネルと共に防音壁の形成に用いられているものであることを特徴とする請求項１〜５のいずれかに記載の環境配慮型防音壁。
【請求項７】
環境保全設備は、発電防音パネルにより生起された電力のみで環境保全を行うものであることを特徴とする請求項１〜６のいずれかに記載の環境配慮型防音壁。
【請求項８】
環境保全設備は、発電防音パネルにより生起された電力及び外部電源による電力を用いて環境保全を行うもので、発電防音パネル及び外部電力と環境保全設備との間に電力の系統連携装置が設けられていることを特徴とする請求項１〜６のいずれかに記載の環境配慮型防音壁。
【請求項９】
環境保全設備は、能動型吸音装置、浮遊粒子状物質除去装置、窒素酸化物・硫黄酸化物除去装置、防音壁洗浄装置、緑化防音壁灌水装置からなる群から選ばれた、少なくとも１つであることを特徴とする請求項１〜８のいずれかに記載の環境配慮型防音壁。
【発明の詳細な説明】
【０００１】
【発明の属する技術分野】
本発明は、道路側縁に設置され、騒音の伝播を防止すると共に、環境保全にも有効となされた防音壁に関するものである。
【０００２】
【従来の技術】
従来、スペースの有効活用等を目的として防音壁に太陽電池を備えた発電防音パネルにより、発電を行う発明は種々開示されてきており、例えば特許文献１には、矩形で薄板状の太陽電池パネルと、前記太陽電池パネルの少なくとも外周部に配置され前記太陽電池パネルを保持する矩形枠状のフレームと、を備えることを特徴とする太陽電池パネル一体型遮音パネルが開示されている。
【０００３】
また、太陽電池パネル一体型の防音壁と電力を消費する設備との組み合わせとして、例えば特許文献２において太陽電池と、道路近傍に配置され、前記太陽電池が取り付けられた遮音パネルと、前記太陽電池からの電力により駆動されるポンプと、前記ポンプに水を導く第１の管と、前記ポンプからの水を道路沿いの植物に供給する第２の管と、を備えたことを特徴とする太陽電池一体型遮音パネルを用いた散水システムが開示されている。
【０００４】
【特許文献１】
特開平８−１９９５１２号公報
【０００５】
【特許文献２】
特開平９−２１１１６号公報
【０００６】
【発明が解決しようとする課題】
しかしながら、従来の太陽電池パネル一体型の防音壁においては、太陽電池により電力は生起でき、その電力を用いて特許文献２の如く植物に灌水して道路周辺の環境を改善できるものはあるものの、車両等が通行する道路側における環境の配慮はなされていないものであった。すなわち、遮音壁が光線を透過しないがために、道路側が暗くなり、道路利用者に不安感や圧迫感を与えてしまうことがある。
【０００７】
本発明は上記の如き問題点に鑑みてなされたものであり、太陽光による発電が可能となされ、且つ道路側における環境を改善できる環境配慮型防音壁を提供せんとするものである。
【０００８】
【課題を解決するための手段】
上記課題を解決するため、本発明は以下のような構成としている。すなわち、本発明に係わる環境配慮型防音壁は、太陽電池セルを備えた発電防音パネルを用いて形成され、道路周辺に設置され電力を用いて環境保全を行う環境保全設備に、前記太陽電池セルにより生起された電力を供給して環境保全を行う防音壁であって、前記発電防音パネルが光線を透過するようになされたことを特徴とするものである。
【０００９】
本発明によれば、発電防音パネルは太陽電池セルを備えることで太陽光により電力が生起され、その電力が供給される環境保全設備により環境保全が行われることで道路周辺の環境は改善されると共に、外部電源に依存する電力を低減し、発電による環境への負荷を軽減できるが、発電防音パネルが光線を透過するようになされていることで、防音壁を透過して光線が入射されて道路側を明るくし、道路利用者の不安感や圧迫感を軽減して道路側の環境を改善することができる。
【００１０】
また発電防音パネルは、太陽電池セルが透光性の保護部材に取り付けられた太陽電池モジュールを用いて形成されていれば、発電防音パネルが受ける風圧等に起因する応力から太陽電池セルを保護することができ、発電防音パネルの大きさや形状が様々なものであっても太陽電池モジュールを組み合わせて形成でき好ましい。
【００１１】
また太陽電池セルは、透光性の保護部材の透光性を損なわない程度の距離を隔てて帯状に複数列設けられていれば、発電防音パネルにおける光線の透過を確保し、道路側の環境はより確実に改善される。また太陽電池セルを帯状に配置することで光線の透過を遮ることなく太陽電池セルを直列に接続し、太陽電池セル間で距離を隔てることによる発電効率の低下を最小限に抑えることができる。
【００１２】
また透光性の保護部材は、可視光線を透過するものであれば、太陽電池セル間の間隔から防音パネルの反対側の景色を見ることができ、道路側の環境を更に改善することができる。
【００１３】
また太陽電池セルは、両面受光型のものであって、発電防音パネルは太陽電池セルの両面から太陽光が受光可能となされていれば、立設する方角が定められていない防音壁に適用するにおいて、発電防音パネルが何れの方角に向けて設置された場合でも太陽電池セルによる発電効率を高く維持できるので好ましい。
【００１４】
また環境保全設備は、発電防音パネルと共に防音壁の形成に用いられているものであれば、環境保全設備を環境保全と同時に防音に寄与させるものとでき、また電力を供給する配線も短いものとでき好ましい。
【００１５】
更にまた環境保全設備は、発電防音パネルにより生起された電力のみで環境保全を行うものでもよく、また発電防音パネルにより生起された電力及び外部電源による電力を用いて環境保全を行うにおいて発電防音パネル及び外部電力と環境保全設備との間に電力の系統連携装置を設けてもよい。発電防音パネルにより生起された電力のみで環境保全を行うものであれば、外部電源に頼ることなく環境保全を行うことができ、外部電源用の配線等電気関連設備やその取り付けの手間を省くことができると共に、発電による環境への負荷を更に軽減でき好ましい。発電防音パネル及び外部電力と環境保全設備との間に電力の系統連携装置が設けられていれば、蓄電手段の容量を小さくし、また環境保全設備の消費電力量が変動する場合でも対応が容易となり好ましい。
【００１６】
系統連携装置は、環境保全設備が要する電力に応じて発電防音パネル及び外部電源からの電力量の調整を行うもので、その調整は発電防音パネルにより生起された電力が環境保全設備の要する電力を下回った場合に外部電源から電力を補填するように行われるのが好ましい。また系統連携装置を用いる場合でも発電防音パネルにより生起された電力を蓄電する蓄電手段を併用してもよい。
【００１７】
更にまた環境保全設備は、能動型吸音装置、浮遊粒子状物質除去装置、窒素酸化物・硫黄酸化物除去装置、防音壁洗浄装置、緑化防音壁灌水装置からなる群から選ばれた、少なくとも１つであることが好ましい。これらの設備は道路周辺に設置されて環境の保全に有益なもので、且つ電力を使うことでその効果がより一層高められるものであり、本発明を好適に用いることができるものである。
【００１８】
【発明の実施の形態】
本発明の実施の形態について、図面に基づき以下に具体的に説明する。
図１は、本発明に係わる実施の一形態を示す説明図である。まず図１は、太陽電池セルを備え透光性を有する発電防音パネルを示す説明図である。発電防音パネル１は透光性の保護部材である透光板１１に太陽電池セル１２が配置され、透光板１１の周囲には枠体１３が形成されている。太陽電池セル１２は導線１４により生起された電力が出力されるようになされている。発電防音パネル１は、太陽電池セル１２及び枠体１３が遮光性のものであっても、透光板１１の太陽電池セル１２及び枠体１３以外の部位において光線が透過するようになされている。
【００１９】
環境保全装置は、太陽電池セルを備えた発電防音パネルと別途に設置し、送電線等により電気的に接続してもよいが、発電防音パネルと共に防音壁を形成するようにしてもよい。図２に示す如く、立設された支柱３間において、防音パネル化された環境保全設備２が、断面Ｈ型の支柱３のフランジ及びウェーブにより形成された取付溝３１に摺動されて挿入され、更に発電防音パネル１が支柱３間に取り付けられることで防音壁１０が形成され、発電防音パネル１に太陽光が照射されることで発電された電力が環境保全設備２に送電され、環境保全設備２は電力を用いてその機能に応じた環境保全を行う。
【００２０】
発電防音パネル１と環境保全設備２とは、支柱３内などに配線を行うことで電気的に接続してもよいが、好ましい実施形態を図２のＡ線部における側断面図である図３に示す。イ）において、発電防音パネル１の透光板１１周囲に形成された枠体１３の下面及び環境保全設備２の上面にそれぞれ凹凸の電極Ｄを設けておき、ロ）に示す如く環境保全設備２の上に発電防音パネル１が載置されることで電極Ｄ同士が嵌合できるようにすれば、発電防音パネル１及び環境保全設備２は支柱３への取り付け時と同時に電気的に接続可能となり、配線等の必要がなくなることから、施工の容易性や迅速性は格段高められる。
【００２１】
発電防音パネル１、環境保全設備２は図２に示した各々一体に限定されず、いずれか、又は各々複数設けてもよく防音壁１０の高さや環境保全設備２の電力消費量に併せて適宜の数を用いてよい。また図４のイ）に示す如く、発電防音パネル１と環境保全設備１の位置を入れ替えてもよく、ロ）に示す如く、一対の支柱３間に発電防音パネル１と、各々環境保全に係わる機能の異なる環境保全設備２Ａ及び２Ｂを取り付けてもよい。
【００２２】
図５は、発電防音パネル１を形成する太陽電池モジュールを示す正面図で、かかる太陽電池モジュールＭの周囲に枠体を形成することで発電防音パネル１が形成される。太陽電池モジュールＭは透光板１１に太陽電池セル１２が取り付けられ、太陽電池セル１２により発電された電力は導線１４により端子台Ｔに導かれ、端子台Ｔに接続されたケーブルＣにより外部に出力される。
【００２３】
図６は、図５のＢ線における断面図である。透光板１１は太陽電池セル１２の両側に設けられ、サンドイッチ構造となされることで風圧等の外力から太陽電池セル１２をより確実に保護するようになされている。太陽電池セル１２及び導線１４は透光性の封止材Ｆにより封止されることで太陽電池セル１２や導線１４への水分の接触を防止し、且つ太陽電池セル１２の動揺を抑えることで降雨、結露、風圧、振動等による太陽電池セル１２への悪影響を防止するようになされている。
【００２４】
また、太陽電池セル１２は両面受光型のものであれば、上述の効果に加え、発電防音パネル１に光線を透過させるには、透光板１１及び封止材Ｆは共に透光性のものとする必要があり、特に材質の変更をすることなく両面受光型の太陽電池セル１２を適用し、設置の方角によらず高い発電効率を維持するのが容易である。
【００２５】
透光性の保護部材である透光板１１は、透光性を有するものであれば特に限定されるものではなく、ガラスや強化ガラス、ポリカーボネート樹脂、アクリル樹脂、ポリアクリロニトリル樹脂、塩化ビニル樹脂、ＡＢＳ樹脂等の透光性を有する合成樹脂材料を用いてよく、これらを単独で用いるか、又は複数を用いて混合物、積層物を形成して用いてもよい。
【００２６】
また封止材Ｆについても透光性のものであれば特に限定されるものではないが、透光性の接着性合成樹脂を用いれば、太陽電池セル１２の封止と透光板１１への太陽電池セル１２の取り付けとを同時に行うことができ好ましい。接着性合成樹脂は、ウレタン系、エポキシ系等の接着剤や、エチレン？ビニルアセテート（ＥＶＡ）、変性ポリエチレン、変性ポリプロピレン等の接着性樹脂等の内、透光性を有するものを用いてよく、それらを単独で用いても、複数により混合物、積層物として用いてもよい。
【００２７】
発電防音パネル１は、図７に示す如きものであってもよい。図２と同様に、防音壁１０は環境保全設備２と発電防音パネル１が支柱３間に取り付けられて形成されたものであるが、発電防音パネル１において、太陽電池セル１２が透光板１１の透光性を損なわない程度に距離を隔てて、横方向に延びる帯状に複数列設けられ、帯状となされた太陽電池セル１２の間には透光性領域Ｋが形成されている。
【００２８】
かかる構造により、太陽電池セル１２と周囲の枠体１３と間隔のみならず、透光性領域Ｋからも発電防音パネル１を挟んで反対側から採光が可能となり、太陽電池セル１２が遮光性のものであっても道路側の環境の改善はより確実なものとなされる。また透光板１１が可視光線を透過するものであれば、透光性領域Ｋを通して周りの景色を見ることができるから、道路利用者が景観を楽しむことができ、道路利用者の圧迫感や不安感、及び疲労をも軽減することができる。
【００２９】
また太陽電池セル１２は、図８の如く配置してもよい。イ）は、複数列の太陽電池セル１２を下方に集中させ、透光性領域Ｋを発電防音パネル１の上方に偏して設けたものであり、太陽電池セル１２が下方に集中することで枠体１３により太陽光が妨げられる時間を短縮し発電効率を高めることができる。ロ）は複数列の太陽電池セル１２を上方及び下方に均等に偏して配置したもので、透光性領域Ｋを発電防音パネル１の上下方向中央に設けたものであり、帯状に配置された太陽電池セル１２を枠体１３付近に配置することで透光性領域Ｋがより広いものと見え、道路利用者に視界が広くなされたように感じさせることができる。尚、透光性領域Ｋは上記の如き実施形態に限定されるものではなく、防音壁１０の高さや道路利用者の視線の高さ等に応じて適宜の位置に設けてよい。
【００３０】
図９は、本発明に係わる実施の一形態を示す説明図で、支柱３の取付溝３１に発電防音パネル１と、環境保全設備である浮遊粒子状物質除去装置２Ａ及び能動型吸音装置２Ｂとが摺動されて取り付けられ、共に防音壁１０を形成したものである。
【００３１】
図１０は図９のＣ−Ｃ断面図で、浮遊粒子状物質除去装置２Ａの詳細を示すものである。浮遊粒子状物質除去装置２Ａは道路側に装置内部に空気を取り込む取込口２Ａ１及び浄化した空気を排出する排出口２Ａ２が穿設され、取り込まれる空気Ａ１は装置内部の取込口２Ａ１と排出口２Ａ２との間に配置された吸着材やフィルター等の浮遊粒子状物質捕集手段２Ａ３により浮遊粒子状物質が取り除かれ、浄化された空気Ａ２として排出口２Ａ２より装置外部に排出されることで道路周辺の環境保全に寄与するものである。更に浮遊粒子状物質除去装置２Ａの道路と反対側は遮音板２Ａ４となされることで、浮遊粒子状物質除去装置２Ａは防音壁１０を形成するにおいて遮音パネルとしても機能することができる。
【００３２】
ここで装置内部の、浮遊粒子状物質捕集手段２Ａ３の排出口２Ａ２側にはファン２Ａ５が設けられ、装置内部の流速を高めることで取り込まれる空気Ａ１及び浄化された空気Ａ２の量を増加させ、防音壁１０周辺におけるより大量の空気を浄化できることで、ファン２Ａ５を設けない場合と較べ環境保全の効率を高めることができる。ファン２Ａ５を設ける位置は浮遊粒子状物質捕集手段２Ａ３の取込口２Ａ１側でもよく、また浮遊粒子状物質捕集手段２Ａ３に電力により浮遊粒子状物質を捕集する、若しくは捕集効率を高めるものを用いてもよい。
【００３３】
図１１は、図９におけるＤ−Ｄ断面図で、能動型吸音装置による環境保全の方法を示す説明図である。通常の吸音パネルは、道路側に開口したパネル内部に吸音材等を備え、騒音の音波エネルギーを吸音材等により熱エネルギーに変換することで受動的に騒音を低減するものであるが、能動型吸音装置２Ｂは、道路Ｒを通行する車両Ｃから発生される騒音Ｓ１に対し、騒音Ｓ１と逆位相の音波Ｓ２が能動型吸音装置２Ｂから発せられ、騒音Ｓ１と音波Ｓ２とが衝突して打ち消し合うことで騒音を低減し、道路周辺の環境保全に寄与するものである。また能動型吸音装置２Ｂの道路と反対側には、下面より上面が広くなされるように張り出し部２Ｂ４が設けられ、道路側から防音壁１０の反対側への回折音の伝播を防ぐようになされている。
【００３４】
図１２は、図９におけるＥ−Ｅ断面図であり、能動型吸音装置２Ｂの内部を示す説明図である。能動型吸音装置２Ｂには内部に通ずる空孔２Ｂ１が穿設され、空孔２Ｂ１の内部側には道路Ｒからの騒音Ｓ１と逆位相となる音波Ｓ２を発生するスピーカー２Ｂ２が取り付けられている。更に能動型吸音装置２Ｂの道路と反対側は遮音板２Ｂ３となされることで、能動型吸音装置２Ｂは防音壁１０を形成するにおいて遮音パネルとしても機能することができる。
【００３５】
図１３及び図１４は、本発明に係わる浮遊粒子状物質除去装置の、他の実施形態を示す説明図である。図１３において、図９と同様に支柱３の取付溝３１に発電防音パネル１と、環境保全設備である浮遊粒子状物質除去装置２Ａ及び防音パネル２Ｃとが摺動されて取り付けられ、共に防音壁１０を形成したものである。防音パネル２Ｃは上述の実施形態と同様に能動型吸音装置でもよく、吸音材を内装する等により回折音を低減する先端形状型防音装置であってもよい。防音パネル２Ｃは道路側に下方に向けられた傾斜面を有する前方張出部２Ｃ１が設けられ、その下面に向けられた傾斜面に防音パネル２Ｃの内部に道路側の空気を取り込む取込口２Ｃ１が穿設されており、更に後方張出部２Ｃ６が設けられることで回折音の伝播が防止されるようになされている。
【００３６】
図１４は、浮遊粒子状物質の捕集状態を示す防音壁の側面図である。道路Ｒを走行する車両Ｃが通過する際に発生する走行風Ｗ１は道路側縁に防音壁１０が存在する場合、防音壁１０に当たって上昇気流Ｗ２となる。防音壁１０の途中や上端に、本図に示す如く下方に向けられた傾斜面を有する前方張出部２Ｃ１が設けられていると、上昇気流Ｗ２はその傾斜面に当たって道路側に戻る気流Ｗ３となるが、車両Ｃの走行風Ｗ１には道路の塵埃が多く含有され、更に上昇気流Ｗ２には塵埃の内とりわけ重量の小さい浮遊粒子状物質が多く含まれる。かかる上昇気流Ｗ２を取込口２Ｃ２から、発電防音パネル１により発電された電力により動作するファン２Ｃ５等により能動的に浮遊粒子状物質捕集手段２Ｃ４に取り込み、浄化された空気を排出口２Ｃ３から排出することで、効果的に浮遊粒子状物質が捕集でき、高い環境保全効果を発揮することができる。本実施形態においても、浮遊粒子状物質捕集手段２Ｃ４には吸着材やフィルター等を用いてもよく、また電力を用いて浮遊粒子状物質を捕集する方法のものであってもよい。
【００３７】
図１５は本発明に係わる実施の一形態を示すもので、環境保全設備が窒素酸化物・硫黄酸化物除去装置である説明図である。発電防音パネル１及び防音パネル２Ｄが支柱３間に取り付けられて防音壁１０が形成されているが、防音パネル２Ｄの外面２Ｄ１には多孔質光触媒含有層等の窒素酸化物・硫黄酸化物除去被覆層が形成されている。かかる外面２Ｄ１に対し、発電防音パネル１により生起された電力を用いて点灯する紫外線ランプ２Ｄ２により紫外線を照射することで、前記被覆層に含まれる光触媒が活性化され、窒素酸化物・硫黄酸化物の分解が促進され環境保全に寄与することができる。
【００３８】
図１６は本発明に係わる実施の一形態を示すもので、環境保全設備が防音壁洗浄装置である説明図である。発電防音パネル１が支柱３間に取り付けられて防音壁１０が形成されているが、防音壁１０の外面に対し散水を行う散水機２Ｅが設けられ、発電防音パネル１により生起された電力により散水を行うことで、防音壁を清浄に保ち、道路の環境保全に寄与することができる。また散水の対象となる発電防音パネル１等の外面には光触媒含有層が形成されていれば、汚染物質を容易に洗浄することができるようになり好ましい。
【００３９】
図１７は本発明に係わる実施の一形態を示すもので、環境保全設備が緑化防音壁灌水装置であるものの説明図である。まず斜視図イ）において、支柱３の取付溝３１に発電防音パネル１と、汎用の吸音パネルＢ及び道路環境の保全や改善に寄与する緑化防音パネル２Ｆとが摺動されて取り付けられ、共に防音壁１０を形成したものである。緑化防音パネル２Ｆは枠体２Ｆ１に土壌を充填した植栽枡２Ｆ２が取り付けられ、植栽枡２Ｆ２の前面側に植物Ｐが植栽されている。また枠体２Ｆ１の上面には植栽枡２Ｆ２内の土壌に通じる送水孔２Ｆ３が穿設されている。
【００４０】
イ）の防音壁形成後のＦ−Ｆ断面図をロ）に示すが、防音壁１０の上端には笠木１０１が設けられ、笠木１０１内に灌水用のホース２Ｆ４が設けられている。ホース２Ｆ４から送水孔２Ｆ３を通じて植栽枡２Ｆ１の土壌に水が供給されることで植物Ｐの生育を補助し、緑化防音パネル２Ｆの前面が緑化されることで道路環境は保全及び改善される。緑化防音パネル２Ｆに灌水を行う設備である、灌水用のホース２Ｆ４に送水を行うポンプ（図示せず）等の電力に発電防音パネル１により生起された電力を用いることで、緑化防音パネル２Ｆの緑化を確実に、また促進し、環境保全に寄与することができる。
【００４１】
これらの環境保全設備は、発電防音パネルにより生起された電力のみで環境保全を行うものとすれば、配線や施工の簡易化に加え、外部電力に頼る必要がなく、火力や原子力により生起された電力を使用する必要がなくなることから、発電における環境への負荷を軽減することにも繋がる。また夜間に電力を使用する環境保全設備については、発電防音パネルにより生起された電力を蓄電し、夜間に放電する蓄電手段を設けておくのが好ましく、その電気容量は環境保全設備の消費電力に応じて適宜設定してよい。蓄電手段は鉛蓄電池等でもよいが環境への負荷を小さくできる電気二重層コンデンサ、ニッケル水素電池、プロトンポリマー電池等を用いるのが好ましい。
【００４２】
また、これらの環境保全設備は発電防音パネルにより生起された電力及び外部電源による電力により環境保全を行うものとし、発電防音パネル及び外部電源と環境保全設備との間に系統連携装置を設けておけば、蓄電手段の容量を小さくし、また環境保全設備の消費電力量が大きい場合や、消費電力量が変動する場合でも対応が容易となり好ましい。系統連携装置は、上述の如く蓄電手段を併用してもよく、蓄電手段の容量は発電防音パネルにより生起される電力量や環境保全設備が要する電力量に合わせて適宜設定してよい。
【００４３】
【発明の効果】
本発明によれば、発電防音パネルは太陽電池セルを備えることで太陽光により電力が生起され、その電力が供給される環境保全設備により環境保全が行われることで道路周辺の環境は改善されると共に、外部電源に依存する電力を低減し、発電による環境への負荷を軽減できるが、発電防音パネルが光線を透過するようになされていることで、防音壁を透過して光線が入射されて道路側を明るくし、道路利用者の不安感や圧迫感を軽減して道路側の環境を改善することができる。
【図面の簡単な説明】
【図１】本発明に係わる発電防音パネルの、実施の一形態を示す説明図である。
【図２】本発明に係わる実施の一形態を示す説明図である。
【図３】図２における電極の接続の一例を示す側面図である。
【図４】本発明に係わる他の実施形態を示す説明図である。
【図５】本発明に係わる発電防音パネルを形成する太陽電池モジュールの一例を示す説明図である。
【図６】図５のＢ線断面図である。
【図７】本発明に係わる更に他の実施形態を示す説明図である。
【図８】本発明に係わる更に他の実施形態を示す説明図である。
【図９】本発明に係わる更に他の実施形態を示す説明図である。
【図１０】図９におけるＣ−Ｃ断面図である。
【図１１】能動型吸音装置の吸音方法を説明する側面図である。
【図１２】図９におけるＤ−Ｄ断面図である。
【図１３】本発明に係わる更に他の実施形態を示す説明図である。
【図１４】図１３における浮遊粒子状物質の捕集の方法を説明する側断面図である。
【図１５】本発明に係わる更に他の実施形態を示す説明図である。
【図１６】本発明に係わる更に他の実施形態を示す説明図である。
【図１７】本発明に係わる更に他の実施形態を示す説明図である。
【符号の説明】
１    発電防音パネル
１１  透光板
１２  太陽電池セル
１３  枠体
２    環境保全設備
２Ａ  浮遊粒子状物質除去装置
２Ａ３  浮遊粒子状物質捕集手段
２Ｂ  能動型吸音装置
２Ｃ４  浮遊粒子状物質捕集手段
２Ｄ  外面（窒素酸化物・硫黄酸化物除去被覆層）
２Ｅ  散水機（防音壁洗浄装置）
２Ｆ  緑化防音パネル
３    支柱
３１  取付溝
１０  防音壁
【図１】
2004257164.tif 000003
【図２】
2004257164.tif 000004
【図３】
2004257164.tif 000005
【図４】
2004257164.tif 000006
【図５】
2004257164.tif 000007
【図６】
2004257164.tif 000008
【図７】
2004257164.tif 000009
【図８】
2004257164.tif 000010
【図９】
2004257164.tif 000011
【図１０】
2004257164.tif 000012
【図１１】
2004257164.tif 000013
【図１２】
2004257164.tif 000014
【図１３】
2004257164.tif 000015
【図１４】
2004257164.tif 000016
【図１５】
2004257164.tif 000017
【図１６】
2004257164.tif 000018
【図１７】
2004257164.tif 000019